(57)【要約】【課題】液晶ディスプレイのコントローラＬＳＩを保護することができる携帯端末装置を提供することである。【解決手段】本発明は、防振ゴムやシリコンゴム等の弾性体を使用し、液晶ディスプレイのコントローラＬＳＩを衝撃による破損から防ぐ耐衝撃構造を提供するものであり、耐衝撃構造として、前記コントローラＬＳＩの上下に弾性体を設け、前記弾性体が防振ゴムまたはシリコンゴムであることを特徴とする。【選択図】図３
2010199936.tif 000002
【特許請求の範囲】
【請求項１】
液晶ディスプレイのコントローラＬＳＩの耐衝撃構造を設けたことを特徴とする携帯端末装置。
【請求項２】
前記耐衝撃構造として、前記コントローラＬＳＩの上下に弾性体を設けたことを特徴とする請求項１に記載の携帯端末装置。
【請求項３】
前記弾性体が防振ゴムまたはシリコンゴムであることを特徴とする請求項２に記載の携帯端末装置。
【請求項４】
前記弾性体が前記コントローラＬＳＩと同形状のくり抜き部を有し、前記くり抜き部に前記コントローラＬＳＩをはめ込んでなることを特徴とする請求項３に記載の携帯端末装置。
【請求項５】
前記弾性体が前記コントローラＬＳＩの露出面の全面と接することを特徴とする請求項２ないし４のうちのいずれか１項に記載の携帯端末装置。
【請求項６】
前記弾性体が、前記液晶ディスプレイの表示面を保護するスクリーンおよび前記液晶ディスプレイを支持するフレームと接することを特徴とする請求項２ないし５のうちのいずれか１項に記載の携帯端末装置。
【発明の詳細な説明】
【技術分野】
【０００１】
本発明は携帯端末装置に関し、特に耐衝撃構造に特徴を有する携帯端末装置に関する。
【背景技術】
【０００２】
携帯電話機のような携帯端末装置においては、性能・機能向上とともに、デザインにおける質の向上や筐体の薄型化がトレンドになっている。筐体の薄型化については、携帯端末装置の性能・機能向上による内部電気部品の増加等とは背反するため、携帯端末装置内部に実装される基板等の高密度実装や、携帯端末装置の効率的な内部部品の配置等、さまざまな研究が進められている。
【０００３】
ところで、筐体の薄型化は携帯端末装置の強度にも多大な影響を及ぼしており、ガラスで構成された液晶ディスプレイは強度的に弱く、衝撃による破損が大きな問題となっている。
【０００４】
これに対して特許文献１においては、ＬＣＤ表示器と、基板や本体ケースとの間にクッションを設けてＬＣＤ表示器を保護する構造を開示している。
【先行技術文献】
【特許文献】
【０００５】
【特許文献１】特開平９−２８３９５０号公報
【発明の概要】
【発明が解決しようとする課題】
【０００６】
ところが特許文献１においては、クッションによってＬＣＤ表示器のガラス面の保護のみを考慮したものであった。
【０００７】
液晶ディスプレイは、ガラスのエッジ部やコントローラＬＳＩから破損する場合が多く、特に液晶の表示コントロールを行うコントロールＬＳＩは液晶ディスプレイの心臓部であるため、コントロールＬＳＩの保護は非常に重要である。
【０００８】
本発明は上記の点にかんがみてなされたもので、液晶ディスプレイのコントローラＬＳＩを保護することができる携帯端末装置を提供することを目的とする。
【課題を解決するための手段】
【０００９】
上記課題を解決するにあたり、本発明は、防振ゴムやシリコンゴム等の弾性体を使用し、液晶ディスプレイのコントローラＬＳＩを衝撃による破損から防ぐ耐衝撃構造を提供する。
【００１０】
すなわち本発明は、液晶ディスプレイのコントローラＬＳＩの耐衝撃構造を設けたことを特徴とする。
【００１１】
また本発明は、前記耐衝撃構造として、前記コントローラＬＳＩの上下に弾性体を設けたことを特徴とする。
【００１２】
また本発明は、前記弾性体が防振ゴムまたはシリコンゴムであることを特徴とする。
【００１３】
また本発明は、前記弾性体が前記コントローラＬＳＩと同形状のくり抜き部を有し、前記くり抜き部に前記コントローラＬＳＩをはめ込んでなることを特徴とする。
【００１４】
また本発明は、前記弾性体が前記コントローラＬＳＩの露出面の全面と接することを特徴とする。
【００１５】
また本発明は、前記弾性体が、前記液晶ディスプレイの表示面を保護するスクリーンおよび前記液晶ディスプレイを支持するフレームと接することを特徴とする。
【発明の効果】
【００１６】
本発明によれば、液晶ディスプレイのコントローラＬＳＩを保護することができる携帯端末装置を提供することができる。
【００１７】
本発明によれば、携帯端末装置の液晶ディスプレイのコントローラＬＳＩの耐衝撃構造として、弾性体（防振ゴム、シリコンゴム等）を利用することにより、衝撃に対する液晶ディスプレイのコントローラＬＳＩの耐性を向上させることができる。
【図面の簡単な説明】
【００１８】
【図１】本発明による携帯端末装置の一実施形態で用いる液晶ディスプレイの概略を示す図であり、（ａ）は平面図であり、（ｂ）は側面図である。
【図２】図１（ｂ）において円で囲った部分Ａを拡大して示す図である。
【図３】本実施形態の携帯端末装置の表示ディスプレイ部の縦方向断面の概略図である。
【発明を実施するための形態】
【００１９】
液晶ディスプレイは、ガラスのエッジ部やコントローラＬＳＩから破損する場合が多く、特に液晶の表示コントロールを行うコントロールＬＳＩは液晶ディスプレイの心臓部であるため、コントロールＬＳＩの保護は非常に重要である。本発明では、防振ゴムやシリコンゴム等の弾性体を使用し、液晶ディスプレイのコントローラＬＳＩを衝撃による破損から防ぐ耐衝撃構造を提供する。
【００２０】
以下、本発明の実施の形態について図面を参照して詳細に説明する。
【００２１】
図１は、本発明による携帯端末装置の一実施形態で用いる液晶ディスプレイの概略を示す図であり、（ａ）は平面図であり、（ｂ）は側面図である。
【００２２】
また、図２は、図１（ｂ）において円で囲った部分Ａを拡大して示す図である。
【００２３】
液晶ディスプレイは、大きく分けて、液晶を有する上側ガラスおよび下側ガラスからなるガラス部１０と、液晶の表示制御を行うコントローラＬＳＩ２０と、を有して構成される。
【００２４】
この図１（ａ）、（ｂ）および図２に示す液晶ディスプレイが携帯端末装置に実装された状態の側断面図を図３に示す。図３は、本実施形態の携帯端末装置の表示ディスプレイ部の縦方向断面の概略図である。
【００２５】
ガラス部１０およびコントロールＬＳＩ２０を有する液晶ディスプレイは、フレーム４０と基板５０と表示部側筐体６０とを積層した下側部材と、透明のスクリーン３０である上側部材との間に挟まれて設けられる。
【００２６】
本実施形態では、液晶ディスプレイのコントロールＬＳＩ２０の上側および下側に弾性体を配置する。すなわち、立方体形状のコントロールＬＳＩ２０の下面はガラス部１０に接し、その下面以外の５面に接するように耐衝撃用弾性部材（上側）７０が設けられ、またコントロールＬＳＩ２０の下面に接するガラス部１０のさらに下方に耐衝撃用弾性部材（下側）８０が設けられており、このガラス部１０の下面に耐衝撃用弾性部材（下側）８０の上面が接する。
【００２７】
耐衝撃用弾性部材（上側）７０および耐衝撃用弾性部材（下側）８０の幅寸法（図３の奥行き方向の寸法）は液晶ディスプレイのガラス部１０の幅と同寸法としている。
【００２８】
耐衝撃用弾性部材（上側）７０の下面には、コントローラＬＳＩ２０と同形状のくり抜き部があり、そのくり抜き部にコントローラＬＳＩ２０に嵌まるように設置する。これにより、コントロールＬＳＩ２０の下面以外の全面すなわち全露出面が耐衝撃用弾性部材（上側）７０に接し、耐衝撃構造となる。
【００２９】
耐衝撃用弾性部材（上側）７０の上面は、液晶ディスプレイの表示面を保護するスクリーン３０と接し、また耐衝撃用弾性部材（下側）８０の下面は、液晶ディスプレイを支持しているフレーム４０に接する。
【００３０】
本実施形態の携帯端末装置を落下させるなどして、携帯端末装置に衝撃が加わった場合、コントローラＬＳＩ２０の上下に配置した耐衝撃用弾性部材（上側）７０および耐衝撃用弾性部材（下側）８０がコントローラＬＳＩ２０への衝撃を緩和する。
【００３１】
また、耐衝撃用弾性部材（上側）７０および耐衝撃用弾性部材（下側）８０は、コントローラＬＳＩ２０を覆うように設けられているので、所定位置に固定し、その形状を保持することができる。このため、携帯端末装置に衝撃が加わった場合、耐衝撃用弾性部材（上側）７０および耐衝撃用弾性部材（下側）８０は、その衝撃によるコントローラＬＳＩ２０の変形を抑制する働きをすることにより、コントローラＬＳＩの破損を防ぐことができる。
【００３２】
また、携帯端末装置の液晶ディスプレイのコントローラＬＳＩ２０の耐衝撃構造において、耐衝撃用弾性部材（上側）７０および耐衝撃用弾性部材（下側）８０として、弾性体（防振ゴム、シリコンゴム等）を利用することにより、衝撃に対する液晶ディスプレイのコントローラＬＳＩ２０の耐性を向上させることができる。
【００３３】
また、耐衝撃用弾性部材（上側）７０および耐衝撃用弾性部材（下側）８０として、熱伝導率の大きい（熱伝導率0.03W/mK以下）材料を使用することにより、筐体内部の発熱体（主にＩＣ等）の熱を効率良く外部に逃がすことができる。
【産業上の利用可能性】
【００３４】
本発明は、携帯電話機、ＰＨＳ（Personal Handy-phone System）等の携帯端末装置やＰＤＡやノートパソコン等携帯情報処理装置、また携帯音楽プレーヤー、デジタルカメラ等に適用することができる。
【符号の説明】
【００３５】
１０  ガラス部
２０  コントローラＬＳＩ
３０  スクリーン
４０  フレーム
５０  基板
６０  表示部側筐体
７０  耐衝撃用弾性体（上側）
８０  耐衝撃用弾性体（下側）
【図１】
2010199936.tif 000003
【図２】
2010199936.tif 000004
【図３】
2010199936.tif 000005